(57)【要約】【課題】液体通過路の長さを抑制しつつ、多くの液体を迅速かつスムーズに排水することができる貯留槽を提供する。【解決手段】  流入口1aと、流出口1bと、を有し、流入口1aから流入した液体を内部に貯留可能な貯留槽1である。貯留槽1は、流入口1aと流出口1bとを結び、流入口1aから流入した前記液体を流出口1bに案内し、直線状に延在する、液体通過路3と、液体通過路3を挟んだ両側のそれぞれの位置であって、液体通過路3と隣接する位置に配置されており、流入口1aから流入した前記液体を滞留させることが可能な液体滞留部4と、を有する。【選択図】図５
2019090228.tif 000002
【特許請求の範囲】
【請求項１】
液体が流入する流入口と、前記液体が流出する流出口と、を有し、前記流入口から流入した前記液体を内部に貯留可能な貯留槽であって、
前記流入口と前記流出口とを結び、前記流入口から流入した前記液体を前記流出口に案内すると共に、直線状に延在する、液体通過路と、
前記液体通過路を挟んだ両側のそれぞれの位置であって、前記液体通過路と隣接する位置に配置されており、前記流入口から流入した前記液体を滞留させることが可能な液体滞留部と、
を有する、貯留槽。
【請求項２】
前記液体通過路の延在方向における当該液体通過路の長さは、前記液体通過路の延在方向における前記液体滞留部の長さよりも短い、請求項１に記載の貯留槽。
【請求項３】
前記貯留槽は、前記液体滞留部が、前記液体通過路を挟んで、建築物の床スラブに沿った両側のそれぞれの位置に配置されるように、前記床スラブ上に配置されるものである、請求項１又は２に記載の貯留槽。
【請求項４】
前記液体滞留部の底面は、平面部分を有し、前記平面部分は、前記液体通過路の延在方向視で、前記液体通過路に向かうに従って下方に傾斜し、当該液体通過路の底面に繋がる平面である、請求項１乃至３のいずれか１項に記載の貯留槽。
【請求項５】
前記液体通過路の底面は、前記液体滞留部の底面よりも低い位置にある、請求項１乃至４のいずれか１項に記載の貯留槽。
【請求項６】
前記液体滞留部の底面は、前記貯留槽の平面視で、前記貯留槽の外形形状を形作る周壁に沿って延在すると共に前記液体滞留部の輪郭を形作る輪郭部分を有し、前記輪郭部分は、当該輪郭部分の延在方向視で、前記貯留槽の内側から外向きに凸の曲面である、請求項１乃至５のいずれか１項に記載の貯留槽。
【発明の詳細な説明】
【技術分野】
【０００１】
本発明は、貯留槽に関する。
【背景技術】
【０００２】
集合住宅等の排水システムとしては、サイホンの原理を利用して排水を促進させる、サイホン排水システムと呼ばれるものがある。サイホン排水システムでは、浴槽等の水廻り機器から一度に多量の排水を行う場合、排水の促進が開始されるまでの間、一時的に液体を蓄えるための貯留槽を設ける必要がある。こうした貯留槽としては、当該貯留槽の流出口と貯留槽本体との間に流路縮小部を設けると共に、当該流路縮小部の一部に、外側に膨出する内壁面を設けたものがある（例えば、特許文献１参照。）。
【先行技術文献】
【特許文献】
【０００３】
【特許文献１】特開２０１６−１０８７４９号公報
【発明の概要】
【発明が解決しようとする課題】
【０００４】
上述した貯留槽によれば、当該貯留槽に流入して前記流出口付近から流出されなかった前記液体が前記内壁面に沿って流出口から離間される方向に導かれる。これにより、上述した貯留槽によれば、当該貯留槽の前記流出口からの液体の流出が阻害されることなく、貯留槽からの液体を流出させ易くすることができる。
【０００５】
しかしながら、前記貯留槽は、筒状の貯留槽本体を有している。このため、前記貯留槽では、より多くの液体が流入するような条件の場合、例えば、当該貯留槽の流入口から建築物の仕切り壁までの距離を長くして貯留槽本体内のチャンバを大きくする必要がある。言い換えれば、従来の貯留槽では、より多くの液体が流入するような条件の場合、前記貯留槽からの排水をスムーズに行おうとすれば、流入口と流出口とを結ぶ液体通過路の長さが長くなる。これに対し、反対に、液体通過路の長さを抑制しようとすれば、前記貯留槽からのスムーズな排水が開始されるまでより長い時間を要することになる。即ち、従来の貯留槽では、より多くの液体を迅速かつスムーズに排水しようとすれば、液体通過路の長さ、ひいては排水システム全体の配管長さが長くなる傾向にあった。
【０００６】
本発明の目的は、液体通過路の長さを抑制しつつ、多くの液体を迅速かつスムーズに排水することができる貯留槽を提供することである。
【課題を解決するための手段】
【０００７】
本発明に係る貯留槽は、液体が流入する流入口と、前記液体が流出する流出口と、を有し、前記流入口から流入した前記液体を内部に貯留可能な貯留槽であって、前記流入口と前記流出口とを結び、前記流入口から流入した前記液体を前記流出口に案内すると共に、直線状に延在する、液体通過路と、前記液体通過路を挟んだ両側のそれぞれの位置であって、前記液体通過路と隣接する位置に配置されており、前記流入口から流入した前記液体を滞留させることが可能な液体滞留部と、を有する。
本発明に係る貯留槽によれば、液体通過路の長さを抑制しつつ、多くの液体を迅速かつスムーズに排水することができる。
【０００８】
本発明に係る貯留槽では、前記液体通過路の延在方向における当該液体通過路の長さは、前記液体通過路の延在方向における前記液体滞留部の長さよりも短いことが好ましい。
この場合、多くの液体をより迅速かつスムーズに排水することができる。
【０００９】
本発明に係る貯留槽は、前記液体滞留部が、前記液体通過路を挟んで、建築物の床スラブに沿った両側のそれぞれの位置に配置されるように、前記床スラブ上に配置されるものであることが好ましい。
この場合、床下空間の高さを大きく確保することなく、多くの液体を迅速かつスムーズに排水することができる。
【００１０】
本発明に係る貯留槽では、前記液体滞留部の底面は、平面部分を有し、前記平面部分は、前記液体通過路の延在方向視で、前記液体通過路に向かうに従って下方に傾斜し、当該液体通過路の底面に繋がる平面であることが好ましい。
この場合、多くの液体をよりスムーズに排水することができる。
【００１１】
本発明に係る貯留槽では、前記液体通過路の底面は、前記液体滞留部の底面よりも低い位置にあることが好ましい。
この場合、液体通過路を通してよりスムーズに排水することができる。
【００１２】
本発明に係る貯留槽では、前記液体滞留部の底面は、前記貯留槽の平面視で、前記貯留槽の外形形状を形作る周壁に沿って延在すると共に前記液体滞留部の輪郭を形作る輪郭部分を有し、前記輪郭部分は、当該輪郭部分の延在方向視で、前記貯留槽の内側から外向きに凸の曲面であることが好ましい。
この場合、液体滞留部の底面における周壁の内面側に対する汚れの付着を抑制することができる。
【発明の効果】
【００１３】
本発明によれば、液体通過路の長さを抑制しつつ、より多くの液体を迅速かつスムーズに排水することができる貯留槽を提供することができる。
【図面の簡単な説明】
【００１４】
【図１】本発明の一実施形態に係る貯留槽の流入口の側を、上方から示す斜視図である。
【図２】図１の貯留槽の流出口の側を、上方から示す斜視図である。
【図３】図１の貯留槽の正面図である。
【図４】図１の貯留槽の背面図である。
【図５】図１の貯留槽を、上方から示す平面図である。
【図６】図５のＡ−Ａ断面図である。
【図７】図５のＢ−Ｂ断面図である。
【図８】図１の貯留槽を適用可能な排水システムの一例を、模式的に一部断面で示すシステム図である。
【発明を実施するための形態】
【００１５】
以下、図面を参照して、本発明の一実施形態に係る貯留槽１について、詳細に説明をする。
【００１６】
図８には、貯留槽１を適用可能な、排水システム１００の一例を示す。本例では、排水システム１００は、サイホン排水システムである。サイホン排水システムは、サイホンの原理を利用して排水を促進させる。こうした排水システム１００は、例えば、１棟の建物が複数階に区画された集合住宅の排水システムとして採用される。
【００１７】
本例では、排水システム１００は、水廻り器具１１０と、器具排水管１２０と、貯留槽１と、サイホン排水管１３０と、を有している。本例では、サイホン排水管１３０は、管継手１４０を介して立て管１５０に接続されている。立て管１５０は、建物の各階を上下方向に貫いている。
【００１８】
水廻り器具１１０は、建物の各階に配置されている。水廻り器具１１０としては、例えば、浴槽（ユニットバス）、洗面台、流し台が挙げられる。本例では、水廻り器具１１０は、ユニットバスである。
【００１９】
器具排水管１２０は、建築物の床部材１０１と床スラブ１０２との間の床下空間Ｓ内に配置されている。器具排水管１２０は、水廻り器具１１０と貯留槽１とを接続している。本例では、器具排水管１２０は、上流側部分１２０ａと、上流側部分１２０ａと繋がる下流側部分１２０ｂとで構成されている。本例では、器具排水管１２０は、床下空間Ｓ内に配置されている。器具排水管１２０の上流側部分１２０ａは、縦方向に延びており、水廻り器具１１０に接続されている。また器具排水管１２０の下流側部分１２０ｂは、貯留槽１に向かうに従って下方に傾斜するように勾配を付けた状態で横方向に延びており、貯留槽１に接続されている。更に本実施形態では、器具排水管１２０は、下流側部分１２０ｂに、排水トラップ１２１を介在させている。
【００２０】
サイホン排水管１３０は、後述の横引き管１３０ａが、床下空間Ｓに配置されており、床スラブ１０２を貫通して下方に垂下している。本例では、サイホン排水管１３０は、貯留槽１と立て管１５０とを接続している。立て管１５０は、建物の各階を上下方向に貫く排水管である。本実施形態では、サイホン排水管１３０は、横引き管１３０ａと、横引き管１３０ａと繋がる竪管１３０ｂとで構成されている。サイホン排水管１３０の横引き管１３０ａは、ほぼ水平の無勾配となるように、床下空間Ｓ内に配置されている。サイホン排水管１３０の竪管１３０ｂは、床スラブ１０２を通って下方に垂下し、管継手１４０を介して立て管１５０に接続されている。
【００２１】
排水システム１００では、サイホンの原理を利用して排水を行う。まず排水システム１００では、水廻り器具１１０の流出口とサイホン排水管１３０の横引き管１３０ａとの高低差Ｈ１から、水廻り器具１１０内の水（液体）の排水を行う。水廻り器具１１０の流出口から排水された水（排水）は、当該排水の自重（落下押し込み圧力）によって、当該排水が器具排水管１２０の上流側部分１２０ａを落下する。次いで、器具排水管１２０の上流側部分１２０ａの排水は、器具排水管１２０の下流側部分１２０ｂに充満した後、貯留槽１を介してサイホン排水管１３０の横引き管１３０ａに充満する。
【００２２】
ここで、本例において、サイホン排水管１３０は、サイホン力による吸引力を発生させるサイホン排水路を形成する。サイホン排水路は、図８に示すように、水廻り器具１１０が設置されている階の床スラブ１０２に沿って、略水平の無勾配で配管されたサイホン排水管１３０の横引き管（水平管）１３０ａ、及び当該横引き管１３０ａの略垂直下方に延在して、垂下部を形成しサイホン力（例えば、負圧力）を発生するサイホン排水管１３０の竪管（流出垂直管）１３０ｂで構成されている。
【００２３】
このようなサイホン排水路を用いたサイホン排水システムによれば、排水管内部が満水状態に充填される満流排水となり、また、サイホン排水路を形成する排水管を無勾配で配置することができる。またサイホン排水システムは、満流排水であるため、管内に固形物が付着するのを防止することができると共に、小口径管を使用することが可能になる。またサイホン排水システムは、排水管を無勾配で配置することができることにより、排水管を配置する床下の空間高さを低くすることが可能になると共に、排水元（例えば、各種水廻り器具１１０）から立て管１５０までの延長距離（例えば、水廻り器具１１０の流出口からサイホン排水管１３０の竪管１３０ｂまでの水平長Ｌ）を長くすることができ（図８参照）、居室レイアウトの自由度を上げることが可能となる。
【００２４】
本例のサイホン排水路においては、水廻り器具１１０の流出口とサイホン排水管１３０の横引き管１３０ａの高低差Ｈ１による、水廻り器具１１０からの排水の落下押し込み圧力で、器具排水管１２０及びサイホン排水管１３０の横引き管１３０ａ（水平長Ｌ）を充水させ、サイホン排水管１３０の横引き管１３０ａの充水により、当該サイホン排水管１３０の竪管１３０ｂ（垂下長Ｈ２）に達した排水が当該竪管１３０ｂを落下し始め、サイホン排水管１３０の横引き管１３０ａが満水状態になることで、サイホン作用が発生する。このサイホン作用を排水動力として、サイホン排水路内に発生する高速の流れにより、水廻り器具１１０からの排水が行われ、排水は、管継手１４０の内部へとスムーズかつ速やかに放出される。
【００２５】
排水システム１００では、水廻り器具１１０から一度に多量の排水が行われることを想定し、器具排水管１２０とサイホン排水管１３０との間に貯留槽１が設けられている。貯留槽１は、排水の促進が開始されるまでの間、水廻り器具１１０から一度に排水された多量の水を一時的に蓄えることができる。
【００２６】
図１及び図２は、それぞれ、本実施形態に係る貯留槽１を示す斜視図である。貯留槽１は、水廻り器具１１０からの排水が流入する流入口１ａと、排水が流出する流出口１ｂと、を有し、流入口１ａから流入した排水を内部に貯留することができる。本実施形態では、流入口１ａ及び流出口１ｂは、それぞれ、貯留槽１の周壁２に形成されている。
【００２７】
貯留槽１は、流入口１ａと流出口１ｂとを結び、流入口１ａから流入した排水を流出口１ｂに案内する、液体通過路３を有している。液体通過路３は、後述の図５等に示すように、直線状に延在している。また本実施形態では、より具体的に、液体通過路３は、図３及び図４に示すように、流出口１ｂが、排水の流通方向視（液体通過路３の延在方向視）で、流入口１ａの少なくとも一部と一直線上に重なるように整列されている。
【００２８】
図３及び図４を参照すると、流入口１ａ及び流出口１ｂの整列に関する具体例としては、例えば、以下の、（１）〜（３）のいずれかを組み合わせる方法が挙げられる。
（１）流入口１ａの中心Ｏａと、流出口１ｂの中心Ｏｂと、を、液体通過路３の延在方向視で、同一の鉛直線Ｏｚ上に整列させる。
（２）流入口１ａの内径の大きさ（流入口１ａの半径ｒａの大きさ）と、流出口１ｂの内径の大きさ（流出口１ｂの半径ｒｂの大きさ）と、を調整する。
（３）流入口１ａの中心Ｏａと、流出口１ｂの中心Ｏｂとの、鉛直方向（鉛直線Ｏｚの方向）の間隔ΔＺを調整する。
【００２９】
本実施形態では、（１）〜（３）の全ての方法を使用して、流出口１ｂが、排水の流通方向視（液体通過路３の延在方向視）で、流入口１ａの少なくとも一部と一直線上に重なるように整列させている。特に、図３及び図４に示すように、本実施形態では、（２）において、流出口１ｂの内径の大きさが流入口１ａの内径の大きさよりも小さくなるように設定している。これにより、流出口１ｂから流出される排水の量は、流入口１ａから流入する排水の量に比べて小さくなる。また本実施形態では、図３及び図４に示すように、（３）において、流入口１ａの中心Ｏａと、流出口１ｂの中心Ｏｂとは、流入口１ａの開口内下端部に、流出口１ｂの開口内上端が重なるように、鉛直方向の間隔ΔＺを調整している。
【００３０】
更に図５に示すように、貯留槽１は、液体通過路３を挟んだ両側のそれぞれの位置にあって、液体通過路３と隣接する位置に配置されており、流入口１ａから流入した排水を滞留させることが可能な液体滞留部４を有している。２つの液体滞留部４は、それぞれ、図５に示すように、平面視で、周壁２と液体通過路３との内側に区画された底面４ｆを有している。２つの液体滞留部４の底面４ｆは、液体通過路３の底面３ｆと共に、周壁２の内側に区画された貯留槽１の底面を形作っている。
【００３１】
本実施形態に係る貯留槽１によれば、図３〜図５に示すように、液体通過路３は、曲線状にしたり、ジグザグ状に延在することなく、直線状に延在している。これにより、流入口１ａと流出口１ｂとを結ぶ液体通過路３は、流入口１ａと流出口１ｂとを結ぶ最短の経路となる。また本実施形態に係る貯留槽１によれば、液体滞留部４は、液体通過路３を挟んだ両側のそれぞれの位置であって、液体通過路３と隣接する位置に配置されている。これにより、より多くの排水を貯留するための液体貯留部を設けるに伴い、液体通過路３の延在方向における当該液体通過路３の長さＬ３（以下、「液体通過路３の延在方向長さＬ３」ともいう。）を長くすることなく、液体通過路３の延在方向における液体滞留部４の長さＬ４（以下、「液体滞留部４の延在方向長さＬ４」ともいう。）を確保することができる。このため、本実施形態に係る貯留槽１によれば、液体通過路３の延在方向長さＬ３を抑制しつつ、多くの排水を迅速かつスムーズに排水することができる。
【００３２】
さらに、本実施形態に係る貯留槽１によれば、液体滞留部４は、液体通過路３を挟んだ両側のそれぞれの位置に配置されているので、液体滞留部４の容積を確保するためには、例えば、当該液体滞留部４が延在する方向の寸法（面積）を大きくするだけですみ、液体滞留部４の高さ、ひいては貯留槽１の高さを高くしないようにすることができる。従って、本実施形態のように例えば、貯留槽１を、液体通過路３を挟んだ両側で液体滞留部４が延在する方向を水平方向とし、周壁２の立設方向が鉛直方向となるように、床スラブ１０２等に設置すれば、床下空間Ｓの高さを大きく確保することなく、多くの液体を迅速かつスムーズに排水することもできる。ここで、「貯留槽１の高さ」とは、貯留槽１の鉛直方向の高さ（寸法）である。言い換えれば、貯留槽１の周壁２の立設方向の高さ（寸法）である。
【００３３】
上記の観点から、より具体的に例えば、本実施形態では、貯留槽１の高さは、貯留槽１の幅より低くすることができ、好ましくは、貯留槽１の高さは、貯留槽１の幅の１／２以下であり、より好ましくは、貯留槽１の高さは、貯留槽１の幅の１／３以下である。ここで、「貯留槽１の幅」とは、互いに対向する貯留槽１の周壁２のうち、貯留槽１の高さ方向及び液体通過路３の延在方向に対して直交する方向の、２つの周壁２の間の最大幅である。即ち、図５を参照すれば、図面左右方向に配置された貯留槽１における２つの周壁（側壁）２ｃの外面の間の幅（寸法）である。
【００３４】
また本実施形態では、図５に示すように、液体通過路３の延在方向長さＬ３は、液体滞留部４の延在方向長さＬ４よりも短い長さである。本実施形態では、液体通過路３の延在方向長さＬ３及び液体滞留部４の延在方向長さＬ４は、それぞれ、液体通過路３の延在方向に対して平行な長さである。また本実施形態では、図５に示すように、液体通過路３の延在方向長さＬ３及び液体滞留部４の延在方向長さＬ４は、それぞれ、貯留槽１の周壁２の内面２ｆの間の長さ（寸法）としている。この場合、液体通過路３の延在方向長さＬ３を抑えつつ、２つの液体滞留部４を液体通過路３の延在方向に大きく確保することができる。このため、多くの液体をより迅速かつスムーズに排水することができる。
【００３５】
本実施形態では、図５に示すように平面視で、周壁２は、液体通過路３の延在方向長さＬ３を規定する２つの第１対向壁２ａを有している。２つの第１対向壁２ａには、それぞれ、流入口１ａ又は流出口１ｂが形成されている。また本実施形態では、図５に示すように平面視で、周壁２は、液体滞留部４の延在方向長さＬ４を規定する２つの第２対向壁２ｂを有している。第２対向壁２ｂは、第１対向壁２ａを挟んだ両側のそれぞれの位置に配置されている。即ち、本実施形態では、貯留槽１は、２つの液体滞留部４を有している。従って、本実施形態では、貯留槽１は、４つの第２対向壁２ｂを有している。また本実施形態では、周壁２は、図５に示すように平面視で、液体通過路３を挟んだ両側のそれぞれの位置に、側壁２ｃを有している。２つの側壁２ｃは、それぞれ、流入口１ａ側の第２対向壁２ｂの外側端と流出口１ｂ側の第２対向壁２ｂの外側端とを連結すると共に、液体通過路３の延在方向に沿って延在している。更に本実施形態では、流入口１ａ側の第１対向壁２ａは、流入口１ａ側の第２対向壁２ｂに対して案内壁２ｄによって連結されている。同様に、本実施形態では、流出口１ｂ側の第１対向壁２ａは、流出口１ｂ側の第２対向壁２ｂに対して案内壁２ｄによって連結されている。本実施形態では、貯留槽１は、２つの液体滞留部４を有している。従って、本実施形態では、貯留槽１は、４つの案内壁２ｄを有している。
【００３６】
このように、本実施形態では、周壁２は、２つの第１対向壁２ａ、４つの第２対向壁２ｂ、２つの側壁２ｃ及び４つの案内壁２ｄで構成されている。また周壁２は、図５に示すように平面視で、液体通過路３と、液体通過路３の両側に配置された２つの液体滞留部４とを取り囲んで、貯留槽１の外形形状をバタフライ形（Ｈ形）に形作っている。
【００３７】
本実施形態に係る貯留槽１では、２つの第１対向壁２ａの間の距離が２つの対向する第２対向壁２ｂの間の距離よりも狭くなっている。言い換えれば、上述のとおり、本実施形態に係る貯留槽１では、液体通過路３の延在方向長さＬ３が液体滞留部４の延在方向長さＬ４より短くなっている。このため、本実施形態によれば、液体通過路３の延在方向に液体滞留部４を長く確保しつつ、流入口１ａと流出口１ｂとの間の距離が短くなることにより、流入口１ａからの排水は、流出口１ｂに対してよりダイレクトに流れる。従って本実施形態によれば、排水がスムーズに流れてその結果、貯留槽１の大きさを抑制できる。
【００３８】
その一方で、貯留槽１の流出口１ｂにサイホン排水管１３０を接続した場合、貯留槽１の流入口１ａから流入した全ての排水が、流出口１ｂを通してサイホン排水管１３０に対して一度に導入されない。サイホン排水管１３０の横引き管１３０ａの口径は小さく済むため、結果的に、貯留槽１の流出口１ｂの口径も小さく狭くなるからである。また貯留槽１の流出口１ｂからサイホン排水管１３０を通して全ての排水が一度に導入されない原因は、排水の初期の段階において、貯留槽１内には、サイホン排水管１３０からのサイホン力も効いていないこともある。こうした様々な要因により、貯留槽１にサイホン排水管１３０を接続すると、流出口１ｂから水が溢れ、その溢れた水は、貯留槽１に設けた液体滞留部４内に一時的に溜まることになる。
【００３９】
しかしながら、本実施形態に係る貯留槽１では、上述のとおり、液体通過路３を挟んだ両側のそれぞれの位置に、液体滞留部４があって、当該液体滞留部４の延在方向長さＬ４が液体通過路３の延在方向長さＬ３より長くなっている。こうした貯留槽１の形状から、２つの液体滞留部４のそれぞれにおいて、当該液体滞留部４内で排水の対流ができるようになっている。このため、貯留槽１の流出口１ｂから溢れた排水は、前記対流の流れに沿って流入口１ａへ流れていこうとする。これにより、図５の破線矢印で例示するように、液体通過路３の両側に配置された２つの液体滞留部４では、それぞれ、貯留槽１内に流入して貯留された排水を、液体通過路３の下流を基点として、液体滞留部４内で対流させることができる。この場合、貯留槽１に流入した排水が少量であるときも、液体通過路３の底面３ｆ及び液体滞留部４の底面４ｆには、汚れが付き難くなる。
【００４０】
特に、本実施形態では、流出口１ｂ側の案内壁２ｄは、それぞれ、図５に示すように平面視で、流出口１ｂが形成された第１対向壁２ａから、排水の流通方向下流側に向かうに従って液体通過路３から遠ざかる方向に向かって傾斜している。言い換えれば、図５に示すように平面視で、流出口１ｂ側の２つの案内壁２ｄの間は、排水の流通方向下流側に向かうに従って拡大していく。これにより、流出口１ｂから一度に流出させることのできない排水は、流出口１ｂが形成された第１対向壁２ａの内面２ｆ側（液体通過路３の下流側）から流出口１ｂ側の案内壁２ｄの内面２ｆに沿って、流出口１ｂ側の第２対向壁２ｂの内面２ｆ側に導かれる。また流出口１ｂ側の第２対向壁２ｂの内面２ｆ側に導かれた排水は、当該流出口１ｂ側の第２対向壁２ｂの内面２ｆに沿って側壁２ｃの内面２ｆ側に導かれる。
【００４１】
更に、本実施形態では、流入口１ａ側の案内壁２ｄは、図５に示すように平面視で、流入口１ａが形成された第２対向壁２ｂから、排水の流通方向下流側に向かうに従って液体通過路３に近づく方向に向かって傾斜している。言い換えれば、図５に示すように平面視で、流入口１ａ側の２つの案内壁２ｄの間は、排水の流通方向下流側に向かうに従って先細りしていく。これにより、側壁２ｃの内面２ｆに沿って流入口１ａ側の第２対向壁２ｂの内面２ｆ側に導かれた排水は、流入口１ａ側の案内壁２ｄの内面２ｆに沿って、流入口１ａが形成された第１対向壁２ａの内面２ｆ側（液体通過路３の上流側）に導かれる。
【００４２】
このように、案内壁２ｄに傾斜をつけた本実施形態によれば、図５の破線矢印で示すように、２つの液体滞留部４内において、それぞれ、液体通過路３の下流を基点とした対流をより効率的に生じさせることができる。なお、本実施形態では、流出口１ｂ側の第２対向壁２ｂには、通気口１ｃが形成されている。通気口１ｃは、貯留槽１内の液体滞留部４と外部との間で空気を流通させる開口部である。通気口１ｃを設けることより、よりスムーズに排水することができる。こうした通気口１ｃは、貯留槽１の内部が蓋体等によって閉じられている場合に有効である。
【００４３】
ところで、液体滞留部４は、液体通過路３の延在方向に対して直交する方向の、液体通過路３を挟んだ両側のそれぞれの位置に配置されている。本実施形態では、図８等に示すように、２つの液体滞留部４は、それぞれ、液体通過路３を挟んで、床スラブ１０２に沿った両側のそれぞれの位置に配置されるように、床スラブ１０２上に配置されるものであることが好ましい。この場合、床下空間Ｓの高さを大きく確保することなく、多くの液体を迅速かつスムーズに排水することができる。
【００４４】
更に、図６は、本実施形態に係る貯留槽１における、液体通過路３の延在方向に対して垂直な断面である。図６に示すように、液体滞留部４の底面４ｆは、液体通過路３の延在方向視で、液体通過路３に向かうに従って下方に傾斜し、当該液体通過路３の底面３ｆに繋がる平面である。この場合、液体滞留部４に滞留させた排水が、液体滞留部４の底面４ｆを伝って液体通過路３に流れ込むことになる。これにより、液体滞留部４に滞留させた排水が液体通過路３を通して流出口１ｂに向かい易くなる。このため、多くの排水をよりスムーズに排水することができる。なお、図６に示すように、本実施形態では、液体滞留部４の底面４ｆは、水平軸（図６では、水平面を液体通過路３の延在方向視したときに現れる直線Ｏｙで示す。）に対して角度Ａ４で傾斜している。角度Ａ４は、貯留槽１の内容量、大きさ等に応じて、適宜設定することができる。角度Ａ４としては、例えば、０．５°〜５°の角度とすることができる。角度Ａ４が０．５°未満の場合、排水の対流を形成するのに効果が薄くなる。また角度Ａ４が５°以上の場合、傾斜がきつくなりすぎることから、排水が流出口１ｂに入りきらずに水が溢れた場合、溢れた水がうまく液体滞留部４に流れていかない。
【００４５】
ところで、本実施形態では、図６に示すとおり、２つの液体滞留部４の底面４ｆは、互いに接近するに従って下方に傾斜している。この場合、２つの液体滞留部４の底面４ｆの下端を直結すれば、液体通過路３は、２つの底面４ｆの直結部分を溝底とするＶ溝とすることができる。或いは、２つの液体滞留部４の底面４ｆの下端を平面を介して連結すれば、液体通過路３は、前記平面を溝底とする台形Ｖ溝とすることもできる。これらの液体通過路３の底面３ｆはいずれも２つの液体滞留部４の底面４ｆと同一の高さ位置にある。
【００４６】
上述の例示的な液体通過路３に対して、本実施形態では、液体通過路３の底面３ｆは、２つの液体滞留部４の底面４ｆよりも低い位置にある。この場合、液体滞留部４に滞留させた排水が、液体滞留部４の底面４ｆを伝って液体通過路３に流れ込み易くなる。これにより、排水を流出口１ｂへ流す案内がより可能になり、液体通過路３を通してよりスムーズに排水することができる。本実施形態では、図６に示すとおり、２つの液体滞留部４の底面４ｆを互いに接近するに従って下方に傾斜させ、２つの液体滞留部４の底面４ｆの下端を下向きに突出する湾曲面を介して連結させている。本実施形態では、液体通過路３の底面３ｆは、前記湾曲面で構成されている。これにより、図６に示すとおり、本実施形態では、液体通過路３の底面３ｆは、２つの液体滞留部４の底面４ｆよりも低い位置にある。このように、液体通過路３の底面３ｆを低い位置にすれば、より排水が流出口１ｂにスムーズに流れるようになる。更に本実施形態のように、液体通過路３の底面３ｆを湾曲面で構成すれば、更に排水が流出口１ｂによりスムーズに流れるようになる。
【００４７】
なお、図７は、本実施形態に係る貯留槽１における、液体通過路３の延在方向に沿った断面図である。図７に示すように、本実施形態では、液体通過路３の底面３ｆ（より具体的には、底面３ｆの少なくとも最深部）は、流入口１ａから流出口１ｂに向かうに従って下方に傾斜している。本実施形態では、液体通過路３の底面３ｆは、水平軸（図７では、水平面を液体通過路３の幅方向視したときに現れる直線Ｏｘで示す。）に対して角度Ａ３で傾斜している。詳細には、液体通過路３の底面３ｆは、流入口１ａから流出口１ｂに向かうに従って一定の角度Ａ３で傾斜する直線部分３ｆ１と、直線部分３ｆ１と繋がり、流出口１ｂと隣接する隣接部分３ｆ２で構成されている。本実施形態では、隣接部分３ｆ２は、貯留槽１の内側から外向きに突出する湾曲面で構成されている。また液体通過路３の底面３ｆでは、勾配（角度Ａ３）が１／１００以上あることが好ましい。この場合、貯留槽１内に排水が残り、乾いた排水が元で汚れが貯留槽１内に付着するということがなくなる。
【００４８】
更に本実施形態では、液体滞留部４の底面４ｆは、図５に示すように、平面視で、貯留槽１の周壁２に沿って延在して液体滞留部４の輪郭を形作る輪郭部分４ｆ２を有している。液体滞留部４の底面４ｆの輪郭部分４ｆ２を除いた部分は、液体滞留部４の底面４ｆの平面部分４ｆ１として形作られている。即ち、本実施形態では、液体滞留部４の底面４ｆは、平面部分４ｆ１及び輪郭部分４ｆ２で形作られている。更に本実施形態では、図６に示すように、液体滞留部４の底面４ｆの輪郭部分４ｆ２は、当該輪郭部分４ｆ２の延在方向視で、周壁２の内面２ｆと繋がり、貯留槽１の内側から外向きに凸の曲面である。この場合、液体滞留部４の底面４ｆにおける周壁２の内面２ｆ側に対する汚れの付着を抑制することができる。なお、本実施形態では、前記曲面は、周壁２の内面２ｆと液体滞留部４の底面４ｆ（の平面部分４ｆ１）とを、曲率半径ｒ４の曲線で結んだ曲面で構成されている。また図６では、周壁２のうち、側壁２ｃに対応する輪郭部分４ｆ２が曲面であることのみを例示的に説明したが、周壁２の他の壁に対応する輪郭部分４ｆ２でも同様である。
【００４９】
上述のとおり、本実施形態に係る貯留槽１によれば、液体通過路３の長さを抑制しつつ、多くの排水を迅速かつスムーズに排水することができる貯留槽１を提供することができる。
【００５０】
上述したところは、本発明の例示的な実施形態を説明したものであり、特許請求の範囲を逸脱しない範囲で様々な変更を行うことができる。例えば、貯留槽１は、樹脂による射出成形によって一体に製造することができるが、貯留槽１の製造方法は、射出成形に限定されない。貯留槽１には、周壁２の上端に形成された開口部を閉じる、着脱可能な蓋を設けることができる。また排水システム１００の構成は、本実施形態の構成に限定されるものではない。例えば、器具排水管１２０及びサイホン排水管１３０は、それぞれの上流側部分（横引き管）と下流側部分（竪管）とが一体の排水管で説明したが、上流側部分（横引き管）と下流側部分（竪管）とを別体の排水管とし、これらの排水管を互いに接続させることにより、器具排水管１２０又はサイホン排水管１３０とすることができる。
【符号の説明】
【００５１】
１：貯留槽，  １ａ：流入口，  １ｂ：流出口，  １ｃ：通気口，  ２：周壁，  ２ａ：第１対向壁，  ２ｂ：第２対向壁，  ２ｃ：側壁，  ２ｄ：案内壁，  ２ｆ：内面，  ３：液体通過路，  ３ｆ：液体通過路の底面，  ３ｆ１：液体通過路の底面の直線部分，  ３ｆ２：液体通過路の底面の隣接部分，  ４：液体滞留部，  ４ｆ：液体滞留部の底面，  ４ｆ１：液体滞留部の底面の平面部分，  ４ｆ２：液体滞留部の底面の輪郭部分，  １００：排水システム，  １０１：床部材，  １０２：床スラブ，  １１０：水廻り器具，  １２０：器具排水管，  １２０ａ：器具排水管の上流側部分，  １２０ｂ：器具排水管の下流側部分，  １２１：排水トラップ，  １３０：サイホン排水管，  １３０ａ：サイホン排水管の横引き管，  １３０ｂ：サイホン排水管の竪管，  １４０：管継手，  １５０：立て管，  Ｓ：床下空間
【図１】
2019090228.tif 000003
【図２】
2019090228.tif 000004
【図３】
2019090228.tif 000005
【図４】
2019090228.tif 000006
【図５】
2019090228.tif 000007
【図６】
2019090228.tif 000008
【図７】
2019090228.tif 000009
【図８】
2019090228.tif 000010